(57)【要約】【目的】トレンチ横型パワーＭＯＳＦＥＴにおいて、信頼性を高めること。また、デバイスピッチを小さくすること。【構成】半導体基板にｎ型ウェル領域２、ｐ型オフセット領域４を形成し、トレンチ５を平面形状が環状になるように形成する。トレンチ５の第１の側壁に沿ってゲート酸化膜１３を形成し、トレンチ５の第２の側壁に沿ってフィールドプレート酸化膜１４を形成し、半導体基板表面上およびトレンチ内面にポリシリコンを堆積する。その後、半導体基板表面およびトレンチ底面のポリシリコンを除去するために異方性エッチングを行う。その後、ｎ型ソース領域７を形成するとともに、ｎ型ドレイン領域６を形成する。層間絶縁膜でトレンチ５の内部を埋めるとともに、ｎ型ソース領域７およびｎ型ドレイン領域６の表面を覆い、その層間絶縁膜にコンタクトホールを開口する。そして、ソース電極１０とドレイン電極９を形成する。【選択図】        図２８
2007235084.tif 000002
【特許請求の範囲】
【請求項１】
半導体基板に形成された第１導電型半導体領域と、
前記第１導電型半導体領域内に形成されたトレンチと、
前記トレンチの第１の側壁に沿って設けられたゲート絶縁膜と、
前記ゲート絶縁膜に沿って前記トレンチの内側に設けられたゲート電極と、
前記トレンチの第１の側壁に接して前記第１導電型半導体領域の表面領域に設けられた第１導電型ソース領域と、
前記トレンチの第１の側壁に沿って前記第１導電型ソース領域と前記トレンチの底面の間に設けられた第２導電型チャネル領域と、
前記トレンチの第２の側壁に沿って設けられたフィールドプレート絶縁膜と、
前記フィールドプレート絶縁膜に沿って前記トレンチの内側に設けられたフィールドプレートと、
前記第１導電型半導体領域の、前記トレンチの第２の側壁の外側の表面領域に設けられた第１導電型ドレイン領域と、
前記第１導電型ソース領域に電気的に接続するソース電極と、
前記第１導電型ドレイン領域に電気的に接続するドレイン電極と、
を備える半導体装置において、
前記トレンチの平面形状が環状であることを特徴とする半導体装置。
【請求項２】
半導体基板に形成された第１導電型半導体領域と、
前記第１導電型半導体領域内に形成されたトレンチと、
前記トレンチの第１の側壁に沿って設けられたゲート絶縁膜と、
前記ゲート絶縁膜に沿って前記トレンチの内側に設けられたゲート電極と、
前記トレンチの第１の側壁に接して前記第１導電型半導体領域の表面領域に設けられた第１導電型ソース領域と、
前記トレンチの第１の側壁に沿って前記第１導電型ソース領域と前記トレンチの底面の間に設けられた第２導電型チャネル領域と、
前記トレンチの第２の側壁に沿って設けられたフィールドプレート絶縁膜と、
前記フィールドプレート絶縁膜に沿って前記トレンチの内側に設けられたフィールドプレートと、
前記第１導電型半導体領域の、前記トレンチの第２の側壁の外側の表面領域に設けられた第１導電型ドレイン領域と、
前記第１導電型ソース領域に電気的に接続するソース電極と、
前記第１導電型ドレイン領域に電気的に接続するドレイン電極と、
を備える半導体装置において、
前記トレンチの平面形状が格子状部とそれを取り囲む環状部とからなることを特徴とする半導体装置。
【請求項３】
半導体基板に形成された第１導電型半導体領域と、
前記第１導電型半導体領域内に形成されたトレンチと、
前記トレンチの第１の側壁に沿って設けられたゲート絶縁膜と、
前記ゲート絶縁膜に沿って前記トレンチの内側に設けられたゲート電極と、
前記トレンチの第１の側壁に接して前記第１導電型半導体領域の表面領域に設けられた第１導電型ソース領域と、
前記トレンチの第１の側壁に沿って前記第１導電型ソース領域と前記トレンチの底面の間に設けられた第２導電型チャネル領域と、
前記トレンチの第２の側壁と前記ゲート電極の間に形成された前記ゲート絶縁膜より厚い絶縁膜と、
前記第１導電型半導体領域の、前記トレンチの第２の側壁の外側の表面領域に設けられた第１導電型ドレイン領域と、
前記第１導電型ソース領域に電気的に接続するソース電極と、
前記第１導電型ドレイン領域に電気的に接続するドレイン電極と、
を備える半導体装置において、
前記トレンチの平面形状が環状であることを特徴とする半導体装置。
【請求項４】
半導体基板に形成された第１導電型半導体領域と、
前記第１導電型半導体領域内に形成されたトレンチと、
前記トレンチの第１の側壁に沿って設けられたゲート絶縁膜と、
前記ゲート絶縁膜に沿って前記トレンチの内側に設けられたゲート電極と、
前記トレンチの第１の側壁に接して前記第１導電型半導体領域の表面領域に設けられた第１導電型ソース領域と、
前記トレンチの第１の側壁に沿って前記第１導電型ソース領域と前記トレンチの底面の間に設けられた第２導電型チャネル領域と、
前記トレンチの第２の側壁と前記ゲート電極の間に形成された前記ゲート絶縁膜より厚い絶縁膜と、
前記第１導電型半導体領域の、前記トレンチの第２の側壁の外側の表面領域に設けられた第１導電型ドレイン領域と、
前記第１導電型ソース領域に電気的に接続するソース電極と、
前記第１導電型ドレイン領域に電気的に接続するドレイン電極と、
を備える半導体装置において、
前記トレンチの平面形状が格子状部とそれを取り囲む環状部とからなることを特徴とする半導体装置。
【請求項５】
前記第１導電型ドレイン領域と前記トレンチの底面の間に前記第１導電型半導体領域よりも高濃度の第１導電型高濃度ドレイン領域をさらに備えることを特徴とする請求項１ないし４のいずれか一項に記載の半導体装置。
【請求項６】
前記半導体基板は第１導電型半導体でできていることを特徴とする請求項１ないし５のいずれか一項に記載の半導体装置。
【請求項７】
前記半導体基板は第２導電型半導体でできていることを特徴とする請求項１ないし５のいずれか一項に記載の半導体装置。
【請求項８】
請求項１ないし７のいずれか一項に記載の半導体装置の製造方法において、
前記半導体基板に前記トレンチを形成する工程と、
前記半導体基板表面および前記トレンチ内面にポリシリコンを堆積する工程と、
異方性エッチングにより前記半導体基板表面および前記トレンチ底面のポリシリコンを除去する工程と、
を備えたことを特徴とする半導体装置の製造方法。
【発明の詳細な説明】
【技術分野】
【０００１】
この発明は、半導体装置およびその製造方法に関し、特にスイッチング電源用ＩＣ、自動車パワー系駆動用ＩＣまたはフラットパネルディスプレー駆動用ＩＣなど、高耐圧で大電流を制御するＩＣに用いられる低オン抵抗のパワーＭＯＳＦＥＴ（金属−酸化膜−半導体よりなる絶縁ゲート構造を有する電界効果トランジスタ）に関する。
【背景技術】
【０００２】
近時、携帯機器の急速な普及や通信技術の高度化などに伴い、パワーＭＯＳＦＥＴを内蔵したパワーＩＣの重要性が高まっている。横型パワーＭＯＳＦＥＴを制御回路に集積したパワーＩＣでは、従来のパワーＭＯＳＦＥＴ単体と制御駆動回路とを組み合わせてなる構成に対し、小型化、低消費電力化、高信頼性化および低コスト化などが期待される。そこで、ＣＭＯＳ回路よりなる制御駆動回路と横型パワーＭＯＳＦＥＴとを同一半導体基板上に集積するため、ＣＭＯＳプロセスをベースにした高性能な横型パワーＭＯＳＦＥＴの開発が活発に行われている。
【０００３】
ところで、デバイスピッチを縮小して集積度を高めるための技術として、トレンチ構造のＭＯＳＦＥＴが知られている。上述した横型パワーＭＯＳＦＥＴにおいても、さらなる高集積化と低オン抵抗化を図るために、トレンチ技術が盛んに駆使されている。図１６は、従来のトレンチ構造を適用した横型パワーＭＯＳＦＥＴ（以下、ＴＬＰＭとする）の構成を示す断面図である。
【０００４】
図１６に示すように、ｐ型半導体基板５１の表面領域にｎ型ウェル領域５２が形成されており、その表面領域にｐ型オフセット領域５４が形成されている。基板表面からはトレンチ５５がｐ型オフセット領域５４を貫通してｎ型領域（後述するｎ型拡張ドレイン領域５３）に達するように形成されている。トレンチ５５の底部は、ドリフト領域となるｎ型拡張ドレイン領域５３により囲まれている。
トレンチ５５の内側には、その側壁に沿ってゲート酸化膜６３が設けられている。ゲート酸化膜６３の内側には、ゲートポリシリコン電極６１が設けられている。トレンチ５５の、ゲートポリシリコン電極６１の内側領域は、第１の層間絶縁膜６５により埋められている。この第１の層間絶縁膜６５の中央部には、基板表面の第２の層間絶縁膜６６と第１の層間絶縁膜６５を貫通してｎ型領域（後述するｎ＋プラグ領域６８）に達するタングステンプラグ６９が設けられている。
【０００５】
タングステンプラグ６９は、バリアメタル７１により囲まれている。タングステンプラグ６９およびバリアメタル７１は、ｎ型拡張ドレイン領域５３内に設けられたｎ＋プラグ領域６８と基板表面に設けられたドレイン電極５９を電気的に接続する。ｐ型オフセット領域５４において、トレンチ５５の外側には、ｎ型ソース領域５７とｐ型ソース領域５８が設けられている。ｎ型ソース領域５７およびｐ型ソース領域５８は、第２の層間絶縁膜６６を貫通するタングステンプラグ７０とこれを囲むバリアメタル７２を介して、ソース電極６０に電気的に接続されている。
【０００６】
図１６に示すＴＬＰＭの製造プロセスについて図１７〜図２３を参照しながら説明する。まず、ｐ型半導体基板５１の表面領域にｎ型ウェル領域５２とｐ型オフセット領域５４を形成するとともに、酸化膜９１をマスクとしてトレンチ５５を形成し、バッファ酸化膜５６を形成後トレンチ５５の底面にリン（Ｐ３１）をイオン注入する（図１７）。マスク酸化膜９１を除去した後、熱拡散を行って拡張ドレイン領域５３を形成する。また、トレン
チ５５の側壁に沿ってゲート酸化膜６３とゲートポリシリコン電極６１を形成する。そして、基板表面にレジストマスク９２を形成し、ｐ型オフセット領域５４の、トレンチ５５の外側領域に砒素（Ａｓ７５）をイオン注入する（図１８）。
【０００７】
レジストマスク９２を除去した後、基板表面に新たにレジストマスク９３を形成し、ｐ型オフセット領域５４の、トレンチ５５の外側領域にホウ素（Ｂ11）をイオン注入する（図１９）。レジストマスク９３を除去した後、熱拡散を行ってｎ型ソース領域５７およびｐ型ソース領域５８を形成する。さらに、絶縁膜を堆積し、トレンチ５５を第１の層間絶縁膜６５で埋めるとともに、基板表面に第２の層間絶縁膜６６を堆積する。その後、第２の層間絶縁膜６６の表面を例えばＣＭＰ（化学機械研磨）等により平坦化する（図２０）。
【０００８】
次いで、基板表面に新たにレジストマスク９４を形成し、第１の層間絶縁膜６５にドレイン用のタングステンプラグ６９を埋めるためのコンタクトホールを開口する（図２１）。レジストマスク９４を除去した後、第１の層間絶縁膜６５および第２の層間絶縁膜６６をマスクとしてトレンチ５５の底面にリン（Ｐ３１）をイオン注入する（図２２）。そして、熱拡散を行ってｎ＋プラグ領域６８を形成する。また、基板表面に新たにレジストマスク９５を形成し、第１の層間絶縁膜６５にソース用のタングステンプラグ７０を埋めるためのコンタクトホールを開口する（図２３）。
【０００９】
次いで、バリアメタル７１７２、タングステンプラグ６９，７０、およびドレイン電極５９とソース電極６０となる配線を形成すると、図１６に示すＴＬＰＭが完成する。このＴＬＰＭにおいて２２〜３０Ｖ程度またはそれ以上の耐圧を確保するためには、例えばトレンチ５５の幅を２．４μｍ程度とし、バリアメタル７１を含めたタングステンプラグ６９の幅を０．８μｍ程度とし、ｎ＋プラグ領域６８とゲートポリシリコン電極６１との間隔を０．４μｍ以上にする必要がある。
【００１０】
なお、従来のＴＬＰＭでは、上述したようにトレンチ５５の外側にｎ型ソース領域５７を形成する工程と、トレンチ５５の底面にｎ＋プラグ領域６８を形成する工程を別々に行う必要がある。その理由は、次の通りである。すなわち、図１８に示す工程において、トレンチ５５による段差のため、レジストマスク９２の厚さは、トレンチ５５の内側で厚くなり、トレンチ５５の外側で薄くなる。
【００１１】
この状態で、ｎ型ソース領域５７とｎ＋プラグ領域６８を同時に形成しようとすると、トレンチ５５の内側では、レジストマスク９２が厚い分、レジストマスク９２の、トレンチ５５の内側部分を開口させるための露光量を増やさなければならない。そのため、図２４に示すように、トレンチ５５の底面における開口幅ａが、マスク上の寸法ｂに比べて、トレンチ５５の奥行き方向（図面に垂直な方向）に垂直な方向（図面の左右方向）に片側で０．５μｍずつ広がってしまう。
【００１２】
そうすると、図２５に示すように、最終的に得られるデバイスの構造は、ｎ＋ドレイン領域５６がゲートポリシリコン電極６１の近傍まで張り出した構造となるため、耐圧が低下してしまう。この場合に、３０Ｖ程度以上の耐圧を確保するためには、トレンチ５５の幅を設計値（ここでは、２．４μｍ）よりも１．０μｍ広い３．４μｍにする必要があり、集積度が下がってしまう。
【００１３】
このような不都合を回避するため、ｎ型ソース領域５７とｎ＋プラグ領域６８は別々に形成される。換言すれば、集積度を下げることなく、耐圧を確保するためには、ｎ型ソース領域５７とｎ＋プラグ領域６８を別々の工程で形成しなければならない。ところで、表面にソース領域とドレイン領域を有し、その間のトレンチの中にゲート電極を有し、ゲート電極とソース領域の間にゲート酸化膜を有し、ゲート電極とドレイン領域の間に厚い酸化膜を有する高電圧電力用トランジスタが提案されている（例えば、特許文献１、特許文献２参照。）。
【特許文献１】特許第３３４８９１１号公報（図２、図４）
【特許文献２】米国特許第５４３４４３５号明細書（図２）
【発明の開示】
【発明が解決しようとする課題】
【００１４】
しかしながら、図１７〜図２３の製造プロセスでは、トレンチ５５の内部の厚い第１の層間絶縁膜６５をエッチングしてドレインコンタクト８０を形成するため、基板表面の薄い第２の層間絶縁膜６６をエッチングしてソースコンタクト８１を形成する場合よりも、ダメージが発生しやすい。また、トレンチ５５の底面にｎ＋プラグ領域６８を形成する際には、ｎ型ソース領域５７を形成するときよりも高い加速電圧とドーズ量でイオン注入を行う必要がある。
これは、ｎ型ソース領域５７を形成した後にｎ＋プラグ領域６８を形成するため、アニール時間を短くして、ｎ＋プラグ領域６８よりも前に形成された拡散領域のプロファイルに悪影響を与えないようにする必要があるからである。例えば、ｎ型ソース領域５７を形成する際には、４０ｋｅＶの加速電圧で、３．０×１０１５／ｃｍ２のドーズ量で砒素のイン注入を行った後に、８００℃の温度で２５分間のアニールを行う。
【００１５】
それに対して、ｎ＋プラグ領域６８を形成する際には、リンを７０ｋｅＶの加速電圧で、３．７５×１０１４／ｃｍ２のドーズ量でリンのイオン注入を４回行った後に、８５０℃の温度で１０秒間のアニールを行う。このため、トレンチ５５の底面には、ダメージによる結晶欠陥が発生しやすい。結晶欠陥が存在すると、バリアメタル７１およびタングステンプラグ６９を形成した後に、その結晶欠陥にタングステンプラグ６９が侵入してプラグ陥を引き起こし、長期信頼性の低下を招くという問題点がある。
【００１６】
ここで、結晶欠陥によって信頼性が低下するメカニズムについて説明する。図２６および図２７は、それぞれ従来のＴＬＰＭの信頼性試験前および試験後の電界分布を示す図である。ただし、耐圧が２２Ｖ程度以上であり、かつオフ特性ではドレイン−ソース間に２０Ｖの電圧がかかった場合（ソースとゲートはＧＮＤに接地）を想定する。また、信頼性試験は、ドレイン−ソース間に電圧をかけたオフ状態（ソースとゲートはＧＮＤに接地）で加を行うものとする。
【００１７】
図２６に示すように、初期オフ特性は、２０Ｖの電圧がかかっても空乏層端がプラグ欠陥８２に到達しないので、リークは低い。しかし、信頼性試験を行うと、図２７に示すように、第１の層間絶縁膜６５の、ｎ型拡張ドレイン領域５３との界面の近傍で、かつｎ＋プラグ領域６８寄りの部分に、ｎ＋プラグ領域６８からの電子がトラップされて、空乏層が広がりやすくなる。そのため、空乏層端がプラグ欠陥８２に到達してしまい、パンチスルーが起こる。その結果、信頼性試験を実施する前に比べて、リークが増大し、オフ特性劣化してしまう。
【００１８】
それ以外にも、ドレインコンタクト用のコンタクトホールとソースコンタクト用のコンタクトホールを別々のマスクを用いて形成する（図２１、図２３参照）ため、ドレインコンタクト用のコンタクトホールを開口する際のマスク合わせを見込んだデバイスピッチを考慮しなければならない。すなわち、マスクの位置ずれによるｎ＋プラグ領域６８とゲートポリシリコン電極６１との間隔ずれの調整を考慮しなければならない。そのため、設計値りデバイスピッチが増大してしまう。
【００１９】
この発明は、上述した従来技術による問題点を解消するため、高い信頼性を有するＴＬＰＭを構成する半導体装置およびその製造方法を提供することを目的とする。また、この発明は、デバイスピッチの小さいＴＬＰＭを構成する半導体装置およびその製造方法を提供することを目的とする。
【課題を解決するための手段】
【００２０】
上述した課題を解決し、目的を達成するため、請求項１の発明にかかる半導体装置は、  半導体基板に形成された第１導電型半導体領域と、前記第１導電型半導体領域内に形成されたトレンチと、前記トレンチの第１の側壁に沿って設けられたゲート絶縁膜と、前記ゲート絶縁膜に沿って前記トレンチの内側に設けられたゲート電極と、前記トレンチの第１の側壁に接して前記第１導電型半導体領域の表面領域に設けられた第１導電型ソース領域と、前記トレンチの第１の側壁に沿って前記第１導電型ソース領域と前記トレンチの底面の間に設けられた第２導電型チャネル領域と、前記トレンチの第２の側壁に沿って設けられたフィールドプレート絶縁膜と、前記フィールドプレート絶縁膜に沿って前記トレンチの内側に設けられたフィールドプレートと、前記第１導電型半導体領域の、前記トレンチの第２の側壁の外側の表面領域に設けられた第１導電型ドレイン領域と、前記第１導電型ソース領域に電気的に接続するソース電極と、前記第１導電型ドレイン領域に電気的に接続するドレイン電極と、を備える半導体装置において、前記トレンチの平面形状が環状であることを特徴とする。
【００２１】
請求項２の発明にかかる半導体装置は、半導体基板に形成された第１導電型半導体領域と、前記第１導電型半導体領域内に形成されたトレンチと、前記トレンチの第１の側壁に沿って設けられたゲート絶縁膜と、前記ゲート絶縁膜に沿って前記トレンチの内側に設けられたゲート電極と、前記トレンチの第１の側壁に接して前記第１導電型半導体領域の表面領域に設けられた第１導電型ソース領域と、前記トレンチの第１の側壁に沿って前記第１導電型ソース領域と前記トレンチの底面の間に設けられた第２導電型チャネル領域と、前記トレンチの第２の側壁に沿って設けられたフィールドプレート絶縁膜と、前記フィールドプレート絶縁膜に沿って前記トレンチの内側に設けられたフィールドプレートと、前記第１導電型半導体領域の、前記トレンチの第２の側壁の外側の表面領域に設けられた第１導電型ドレイン領域と、前記第１導電型ソース領域に電気的に接続するソース電極と、前記第１導電型ドレイン領域に電気的に接続するドレイン電極と、を備える半導体装置において、前記トレンチの平面形状が格子状部とそれを取り囲む環状部とからなることを特徴とする。
【００２２】
請求項３の発明にかかる半導体装置は、半導体基板に形成された第１導電型半導体領域と、前記第１導電型半導体領域内に形成されたトレンチと、前記トレンチの第１の側壁に沿って設けられたゲート絶縁膜と、前記ゲート絶縁膜に沿って前記トレンチの内側に設けられたゲート電極と、前記トレンチの第１の側壁に接して前記第１導電型半導体領域の表面領域に設けられた第１導電型ソース領域と、前記トレンチの第１の側壁に沿って前記第１導電型ソース領域と前記トレンチの底面の間に設けられた第２導電型チャネル領域と、前記トレンチの第２の側壁と前記ゲート電極の間に形成された前記ゲート絶縁膜より厚い絶縁膜と、前記第１導電型半導体領域の、前記トレンチの第２の側壁の外側の表面領域に設けられた第１導電型ドレイン領域と、前記第１導電型ソース領域に電気的に接続するソース電極と、前記第１導電型ドレイン領域に電気的に接続するドレイン電極と、を備える半導体装置において、前記トレンチの平面形状が環状であることを特徴とする。
半導体基板に形成された第１導電型半導体領域と、前記第１導電型半導体領域内に形成されたトレンチと、前記トレンチの第１の側壁に沿って設けられたゲート絶縁膜と、前記ゲート絶縁膜に沿って前記トレンチの内側に設けられたゲート電極と、前記トレンチの第１の側壁に接して前記第１導電型半導体領域の表面領域に設けられた第１導電型ソース領域と、前記トレンチの第１の側壁に沿って前記第１導電型ソース領域と前記トレンチの底面の間に設けられた第２導電型チャネル領域と、前記トレンチの第２の側壁と前記ゲート電極の間に形成された前記ゲート絶縁膜より厚い絶縁膜と、前記第１導電型半導体領域の、前記トレンチの第２の側壁の外側の表面領域に設けられた第１導電型ドレイン領域と、前記第１導電型ソース領域に電気的に接続するソース電極と、前記第１導電型ドレイン領域に電気的に接続するドレイン電極と、を備える半導体装置において、前記トレンチの平面形状が格子状部とそれを取り囲む環状部とからなることを特徴とする。
【００２３】
請求項５の発明にかかる半導体装置は、請求項１ないし４のいずれか一項に記載の発明において、前記第１導電型ドレイン領域と前記トレンチの底面の間に前記第１導電型半導体領域よりも高濃度の第１導電型高濃度ドレイン領域をさらに備えることを特徴とする。
請求項６の発明にかかる半導体装置は、請求項１ないし５のいずれか一項に記載の発明において、前記半導体基板は第１導電型半導体でできていることを特徴とする。
【００２４】
請求項７の発明にかかる半導体装置は、請求項１ないし５のいずれか一項に記載の発明において、前記半導体基板は第２導電型半導体でできていることを特徴とする。
また、上述した課題を解決し、目的を達成するため、請求項８の発明にかかる半導体装置の製造方法は、請求項１ないし７のいずれか一項に記載の半導体装置の製造方法において、前記半導体基板に前記トレンチを形成する工程と、前記半導体基板表面および前記トレンチ内面にポリシリコンを堆積する工程と、異方性エッチングにより前記半導体基板表面および前記トレンチ底面のポリシリコンを除去する工程と、を備えたことを特徴とする。
【発明の効果】
【００２５】
本発明にかかる半導体装置およびその製造方法によれば、高い信頼性を有するＴＬＰＭを構成する半導体装置が得られるという効果を奏する。また、デバイスピッチの小さいＴＬＰＭを構成する半導体装置が得られるという効果を奏する。
【発明を実施するための最良の形態】
【００２６】
以下に添付図面を参照して、この発明にかかる半導体装置およびその製造方法の好適な実施の形態を詳細に説明する。本明細書においては、ｎまたはｐを冠記した層や領域では、それぞれ電子または正孔が多数キャリアであることを意味する。なお、以下の実施の形態の説明および添付図面において、同様の構成には同一の符号を付し、重複する説明を省略する。
実施の形態１．
図１は、本発明の実施の形態１にかかるＴＬＰＭの構成を示す断面図である。図１に示すように、ｐ型半導体基板１の表面領域には第１導電型半導体領域としてｎ型ウェル領域２が設けられている。ｎ型ウェル領域２において、特に限定しないが、例えば２本のトレンチ５が基板表面から形成されている。ｎ型ウェル領域２において、ドリフト領域となるｎ型拡張ドレイン領域３が各トレンチ５の底部を囲むように形成されている。
【００２７】
ｎ型ウェル領域２の、２本のトレンチ５に挟まれた基板表面層には、高濃度のｎ型ドレイン領域６が設けられている。ｎ型ウェル領域２の、各トレンチ５を挟んでｎ型ドレイン領域６の反対側、すなわち２本のトレンチ５の外側の基板表面層には、それぞれチャネル領域となるｐ型オフセット領域４がｎ型拡張ドレイン領域３に接して設けられている。
ｐ型オフセット領域４の基板表面層には、高濃度のｎ型ソース領域７がトレンチ５に接して設けられている。ｎ型ソース領域７の外側には、高濃度のｐ型ソース領域８が設けられている。なお、ｎ型ソース領域７とｐ型ソース領域８がトレンチ５の奥行き方向（図面に垂直な方向）に交互に並んで配置されていてもよい。
【００２８】
各トレンチ５において、ｐ型オフセット領域４に接する側、すなわち外側の側壁には、ゲート絶縁膜となるゲート酸化膜１３とゲート電極となるゲートポリシリコン電極１１が設けられている。また、各トレンチ５において、ｎ型ドレイン領域６を挟む側、すなわち内側の側壁には、フィールドプレート絶縁膜となるフィールドプレート酸化膜１４とフィールドプレート１２が設けられている。各トレンチ５の、ゲートポリシリコン電極１１とフィールドプレート１２の間は、第１の層間絶縁膜１５で埋められている。
【００２９】
ｎ型ソース領域７、ｐ型ソース領域８およびｎ型ドレイン領域６のそれぞれの一部を除いて、基板表面は第２の層間絶縁膜１６で覆われている。タングステンプラグ１９はバリアメタル２１で覆われており、第２の層間絶縁膜１６を貫通してドレイン電極９とｎ型ドレイン領域６を電気的に接続している。従って、実施の形態１の半導体装置は、２本のトレンチ５の間の基板表面からドレイン電流を引き出す構成となっている。また、タングステンプラグ２０はバリアメタル２２で覆われており、第２の層間絶縁膜１６を貫通してソース電極１０とｎ型ソース領域７およびｐ型ソース領域８を電気的に接続している。
【００３０】
次に、図１に示すＴＬＰＭの製造プロセスについて図２〜図５を参照しながら説明する。まず、ｐ型半導体基板１の表面領域にｎ型ウェル領域２とｐ型オフセット領域４を形成する。続いて、酸化膜２３をマスクとして２本のトレンチ５を形成する。そして、バッファ酸化膜３０を形成後各トレンチ５の底面に例えばリン（Ｐ３１）を垂直または斜めにイオン注入する（図２）。なお、トレンチ５を形成した後にｎ型ウェル領域２とｐ型オフセット領域４を形成してもよい。ここで、ウェル領域２の導電型がｐ型ではなくｎ型であるの
は、ウェル領域２がｎ型拡張ドレイン領域３とつながることによって２本のトレンチ５の間の基板表面からドレイン電流を引き出すことができるようにするためである。
【００３１】
次いで、マスク酸化膜２３を除去し、熱拡散を行って拡張ドレイン領域３を形成する。また、トレンチ５の内壁にゲート酸化膜１３とフィールドプレート酸化膜１４を形成し、さらにゲートポリシリコン電極１１とフィールドプレート１２を形成する。その際、ゲート酸化膜１３とフィールドプレート酸化膜１４を同時に形成してもよいし、別々に形成してもよい。また、ゲートポリシリコン電極１１とフィールドプレート１２を同時に形成してもよいし、別々に形成してもよい。そして、基板表面に、ｎ型ドレイン領域６とｎ型ソース領域７を形成するためのレジストマスク２４を形成し、２本のトレンチ５の間と各トレンチ５の外側の領域に同時に例えば砒素（Ａｓ７５）をイオン注入する（図３）。
【００３２】
レジストマスク２４を除去した後、基板表面に、ｐ型ソース領域８を形成するためのレジストマスク２５を形成し、例えばホウ素（Ｂ１１）をイオン注入する（図４）。なお、ホウ素のイオン注入（図４）を行った後に砒素のイオン注入（図３）を行ってもよい。レジストマスク２５を除去した後、熱拡散を行ってｎ型ドレイン領域６、ｎ型ソース領域７およびｐ型ソース領域８を形成する。さらに、絶縁膜を堆積し、トレンチ５の、ゲートポリシリコン電極１１とフィールドプレート１２の間の部分を第１の層間絶縁膜１５で埋めるとともに、基板表面に第２の層間絶縁膜１６を堆積する。
【００３３】
その後、第２の層間絶縁膜１６の表面を例えばＣＭＰ（化学機械研磨）等により平坦化する。そして、第２の層間絶縁膜１６の上に所望のパターンのレジストマスク２６を形成し、ドレイン用のタングステンプラグ１９とソース用のタングステンプラグ２０を埋めるためのコンタクトホールを開口する（図５）。レジストマスク２６を除去し、バリアメタル２１，２２、タングステンプラグ１９，２０、およびドレイン電極９とソース電極１０となる配線を形成すると、図１に示すＴＬＰＭが完成する。
【００３４】
ところで、実施の形態１では、高抵抗のウェル領域２でドレイン電流の引き出しを行うため、トレンチの底面にドレインコンタクトを設ける場合よりも、オン抵抗が多少高くなる。そこで、本発明者らは、実施の形態１のＴＬＰＭと図１６に示す従来構成のＴＬＰＭとでオン抵抗の比較を行った。その結果を表１に示す。
ただし、オン抵抗値を算出するにあたっては、実施の形態１のｎ型ウェル領域２、ｐ型オフセット領域４、ｎ型ドレイン領域６、ｎ型ソース領域７およびｎ型拡張ドレイン領域３のそれぞれのドーズ量、拡散深さおよび表面濃度を表２に示す通りとした。また、従来構成のｎ型ウェル領域５２、ｐ型オフセット領域５４、ｎ＋プラグ領域６８、ｎ型ソース領域５７およびｎ型拡張ドレイン領域５３のそれぞれのドーズ量、拡散深さおよび表面濃度を表２に示す通りとした。
【００３５】
ここで、実施の形態１のｎ型ウェル領域２、ｐ型オフセット領域４、ｎ型ドレイン領域６およびｎ型ソース領域７と、従来構成のｎ型ウェル領域５２、ｐ型オフセット領域５４、ｎ＋プラグ領域６８およびｎ型ソース領域５７の表面濃度は、トレンチ脇の基板表面における濃度である。また、実施の形態１のｎ型拡張ドレイン領域３と従来構成のｎ型拡張ドレイン領域５３の表面濃度は、トレンチ底面における濃度である。また、実施の形態１のｎ型ウェル領域２と従来構成のｎ型ウェル領域５２の実効的な抵抗率を、深さ方向に濃度が薄くなることを考慮して、トレンチ深さが１．２μｍである場合を０．１Ω−ｃｍと、トレンチ深さが２．０μｍである場合を０．２Ω−ｃｍとした。
【００３６】
さらに、実施の形態１のトレンチ５の幅、ｎ型ドレイン領域６となるトレンチ間の幅（表３のトレンチ残し幅）、ｎ型ソース領域７およびｐ型ソース領域８となるトレンチ５の
外側の幅（表３のトレンチ残し幅）、並びにトレンチ５の深さを表３に示す通りとした。また、従来構成のトレンチ５５の幅、ｎ型ソース領域５７およびｐ型ソース領域５８となるトレンチ５５の外側の幅（表３のトレンチ残し幅）、トレンチ底面のタングステンプラグ６９の幅、並びにトレンチ５５の深さを表３に示す通りとした。実施の形態１および従構成のいずれもデバイスピッチを２．３μｍとした。
【００３７】
【表１】
2007235084.tif 000003
【００３８】
【表２】
2007235084.tif 000004
【００３９】
【表３】
2007235084.tif 000005
表１に示すように、トレンチ深さが１．２μｍである場合には、実施の形態１のオン抵抗ＲｏｎＡは、従来構成のオン抵抗ＲｏｎＡと同程度である。これは、実施の形態１のｎ型拡張ドレイン領域３とｎ型ドレイン領域６との距離が短いので、高抵抗のｎ型ウェル領域２の寄与が１０％と小さいからである。それに対して、トレンチ深さが２．０μｍになると、実施の形態１では、高抵抗のｎ型ウェル領域２の寄与が４４％と大きくなるため、オン抵抗ＲｏｎＡが高くなり、従来構成のオン抵抗ＲｏｎＡと比較して、低オン抵抗化が十分であるとはいえない。従って、実施の形態１で従来構成と同等の低オン抵抗を実現するためには、トレンチ深さを１．２μｍ程度以下にするのがよい。
【００４０】
実施の形態１によれば、トレンチ内部の厚い酸化膜をエッチングしてトレンチの底面にコンタクトを形成する工程と、トレンチ底面に高い加速電圧とドーズ量でイオン注入してプラグ領域を形成する工程が不要となるので、結晶欠陥が発生しない。
また、フィールドプレート１２とドレイン電極９とを同じ電位にすることによって、空乏層端がフィールドプレート１２の終端近傍の拡張ドレイン領域３でとどまり、ドレイン領域６には到達しない。そのため、パンチスルーが起こらないので、高い信頼性を得ることができる。また、ドレイン領域６の周囲にタングステンプラグ１９，２０などのコンタクトバリアメタル形成などで発生した欠陥に、空乏層が到達しリーク電流を生じることを防止できる。また、拡張ドレインのトレンチ側壁表面に界面準位トラップが安定し、耐圧、リーク電流の経時変動が抑制できる。
【００４１】
また、ドレイン用のコンタクトホールとソース用のコンタクトホールを別々のマスクを用いて開口する場合よりも、マスク合わせを見込んだデバイスピッチを小さくすることができる。
実施の形態２．
図６は、本発明の実施の形態２にかかるＴＬＰＭの構成を示す断面図である。図６に示すように、実施の形態２は、実施の形態１の変形例である。実施の形態２が実施の形態１と異なるのは、各トレンチ５内にフィールドプレート酸化膜１４とフィールドプレート１２が設けられていないことである。実施の形態２のその他の構成は、実施の形態１と同じである。
【００４２】
次に、図６に示すＴＬＰＭの製造プロセスについて図７および図８を参照しながら説明する。まず、実施の形態１と同様にして、ｐ型半導体基板１にｎ型ウェル領域２、ｐ型オフセット領域４および２本のトレンチ５の形成を行い、例えばリン（Ｐ３１）のイオン注入を行う（図２）。次いで、実施の形態１と同様にして、熱拡散により拡張ドレイン領域３を形成し、ゲート酸化膜１３、フィールドプレート酸化膜１４、ゲートポリシリコン電極１１およびフィールドプレート１２を形成する。
【００４３】
その後、基板表面に、ゲートポリシリコン電極１１を覆い、かつフィールドプレート１２の上が開口したパターンのレジストマスク２７を形成する（図７）。そして、ゲートポリシリコン電極１１を残してポリシリコンを除去することによって、フィールドプレート１２を消滅させる。次いで、基板表面に、ｎ型ドレイン領域６とｎ型ソース領域７を形成するためのレジストマスク２８を形成し、２本のトレンチ５の間と各トレンチ５の外側の領域に同時に例えば砒素（Ａｓ７５）をイオン注入する（図８）。これ以降の工程は、実施の形態１と同様である（図４および図５）。
【００４４】
実施の形態２によれば、フィールドプレート１２がないので、空乏層がドレイン引き出し部、すなわち２本のトレンチ５の間のｎ型ドレイン領域６まで延びるので、実施の形態１とほぼ同じオン抵抗で、大幅な高耐圧化を図ることができる。例えば、各拡散層およびトレンチの寸法や濃度等が表２および表３に示す数値のときの耐圧を算出すると、トレンチ深さが１．２μｍであるときの耐圧は３５Ｖである。また、トレンチ深さが２．０μｍであるときの耐圧は４０Ｖである。オン抵抗は、それぞれ実施の形態１と同じである。このように、実施の形態２では、同じ不純物プロファイルで比較すると、実施の形態１と同じオン抵抗で、実施の形態１よりも大幅に耐圧が向上する。
実施の形態３．
図９は、本発明の実施の形態３にかかるＴＬＰＭの構成を示す断面図である。図９に示すように、実施の形態３は、実施の形態１の変形例である。実施の形態３が実施の形態１と異なるのは、ｎ型ドレイン領域６とｎ型拡張ドレイン領域３の間に、ｎ型ウェル領域２よりも高濃度の第１導電型高濃度ドレイン領域としてｎ型オフセット領域１７が設けられていることである。実施の形態３のその他の構成は、実施の形態１と同じである。
【００４５】
次に、図９に示すＴＬＰＭの製造プロセスについて図１０を参照しながら説明する。まず、ｐ型半導体基板１の表面領域にｎ型ウェル領域２とｐ型オフセット領域４とｎ型オフセット領域１７を形成する。続いて、酸化膜２９をマスクとして２本のトレンチ５を形成する。そして、バッファ酸化膜３０を形成後、各トレンチ５の底面に例えばリン（Ｐ３１）を垂直または斜めにイオン注入する（図１０）。なお、トレンチ５を形成した後にｎ型ウェル領域２、ｐ型オフセット領域４およびｎ型オフセット領域１７を形成してもよい。こ
れ以降の工程は、実施の形態１と同様である（図３〜図５）。
【００４６】
この際、トレンチの平面形状を図２８（ａ）に示すように環状形状とすることが好ましい。図２８（ａ）はトレンチ５とドレイン領域９とソース領域１０との配置を示す平面図であり、同図（ｂ）は、前記（ａ）におけるＡ−Ａ´の要部断面図である。このように環状にトレンチ５を形成することで、トレンチ５を形成後、ポリシリコン電極１１とフィールドプレート１２を形成するためのポリシリコンを半導体基板表面上およびトレンチ５の内面に堆積させて、半導体基板表面上およびトレンチ底面のポリシリコンを除去してトレンチ５の側壁だけにポリシリコンが残るように異方性エッチングを行うと、ポリシリコン電極１１とフィールドプレート１２が異方性エッチングにより分離されるため、工程を削減できる。
【００４７】
実施の形態３によれば、フィールドプレート１２とドレイン電極９が同じ電位になることによって、空乏層端がフィールドプレート１２の終端近傍の拡張ドレイン領域３でとどまり、ｎ型オフセット領域１７に到達しない。そのため、ｎ型オフセット領域１７は耐圧に寄与しないので、実施の形態１と同程度の耐圧を得ることができる。また、ｎ型オフセット領域１７が設けられていることによって、実施の形態１よりもオン抵抗が低くなる。
【００４８】
一例として、表４に、実施の形態３のＴＬＰＭと実施の形態１のＴＬＰＭ（ｎ型オフセット領域１７がない）と図１６に示す従来構成のＴＬＰＭ（ｎ型オフセット領域１７がない）とで、本発明者らがオン抵抗と耐圧の比較を行った結果を示す。各拡散層およびトレンチの寸法や濃度等については、表２および表３に示す数値を用いた。
【００４９】
【表４】
2007235084.tif 000006
表４に示すように、トレンチ深さが１．２μｍと２．０μｍのいずれの場合も、ｎ型オフセット領域１７の平均濃度を変えても、実施の形態３のオン抵抗ＲｏｎＡは、実施の形態１のオン抵抗ＲｏｎＡよりも低くなる。耐圧は、実施の形態３でも実施の形態１でも従来の構成でも同じである。つまり、実施の形態３によれば、耐圧の低下を招くことなく、オン抵抗を低くすることができる。なお、実施の形態３では、オン抵抗が従来の構成よりも若干高くなっているが、その増加率は９％程度以下であるので、実用上は全く問題がない。
実施の形態４．
図１１は、本発明の実施の形態４にかかるＴＬＰＭの構成を示す断面図である。図１１に示すように、実施の形態４は、実施の形態２の変形例である。実施の形態４が実施の形態２と異なるのは、ｎ型ドレイン領域６とｎ型拡張ドレイン領域３の間に、ｎ型ウェル領域２よりも高濃度のｎ型オフセット領域１７が設けられていることである。実施の形態４のその他の構成は、実施の形態２と同じである。また、図１１に示すＴＬＰＭを製造するにあたっては、図１０に示す工程を行った後、図７、図８、図４および図５にそれぞれ示す工程を順に行えばよい。
【００５０】
この際、トレンチの平面形状を、図２８（ａ）に示すように、環状としてもよい。
また、図２９に示すように、格子状部とそれを取り囲む環状部とから構成することが好ましい。図２９の（ａ）はトレンチ５とドレイン領域９とソース領域１０との配置を示す平面図であり、図中Ｄはドレイン領域、Ｓはソース領域を示し、（ｂ）は前記（ａ）におけるＢ−Ｂ’の要部断面図、（ｃ）は前記（ａ）におけるＣ−Ｃ’の要部断面図、（ｄ）はドレイン領域８の側壁からポリシリコンフィールドプレート１２を除去するために、ソース側側壁のポリシリコンゲート電極１１がトレンチ５の中央部から外側に広がるフォトレジスト膜２７で被覆されていることを示す、ドレイン領域９を中心とする拡大平面図である。
【００５１】
図２８および図２９のように環状にトレンチ５を形成することで、トレンチ５を形成後、ポリシリコン電極１１とフィールドプレート１２を形成するためのポリシリコンを半導体基板表面上およびトレンチ５の内面に堆積させて、半導体基板表面上およびトレンチ底面のポリシリコンを除去してトレンチ５の側壁だけにポリシリコンが残るように異方性エッチングを行うと、ポリシリコン電極１１とフィールドプレート１２が異方性エッチングにより分離できる。ドレイン側のポリシリコンフィールドプレート１２をＣＤＥ（ケミカルドライエッチング）などの等方性エッチングにより除去する際に、ポリシリコン電極１１とフィールドプレート１２が分離する必要がないため、パターニングおよびエッチングを容易に行え信頼性の高い半導体装置を得ることができる。トレンチ５が環状でなく終端部を有する場合は、終端部のトレンチの側壁でポリシリコン電極１１とポリシリコンフィールドプレート１２が繋がっているため、これを分離する必要がある。分離する際は、ポリシリコン電極１１をレジストで覆う必要があるがレジストのパターニング形状にばらつきが生じる可能性がありポリシリコン電極１１の形状にばらつきが生じる可能性がある。よって、トレンチ５を環状に形成することが好ましい。
実施の形態５．
図１２および図１３は、本発明の実施の形態５にかかるＴＬＰＭの構成を示す断面図である。図１２および図１３に示すように、実施の形態５は、実施の形態１においてトレンチ５を３本以上、図示例では４本設けたものである。実施の形態５では、ｎ型ソース領域７とｐ型ソース領域８は、トレンチ５の奥行き方向（図面に垂直な方向）に交互に並んで
配置されている。ｎ型ソース領域７を横切る断面の構成が図１２に示されており、ｐ型ソース領域８を横切る断面の構成が図１３に示されている。
【００５２】
図１２においてｎ型ドレイン領域６とｎ型ソース領域７、および図１３においてｎ型ドレイン領域６とｐ型ソース領域８は、トレンチ５を挟んで交互に配置されている。そして、実施の形態５では、ｎ型ドレイン領域６、ｎ型ソース領域７およびｐ型ソース領域８のうち、最も外側の領域はｎ型ソース領域７とｐ型ソース領域８になっている。実施の形態５のその他の構成は、実施の形態１と同じである。なお、実施の形態２〜４についても、実施の形態５と同様にトレンチ５を３本以上有する構成としてもよい。
実施の形態６．
図１４および図１５は、本発明の実施の形態６にかかるＴＬＰＭの構成を示す断面図である。図１４および図１５に示すように、実施の形態６は、実施の形態５の変形例である。実施の形態６が実施の形態５と異なるのは、ｎ型ドレイン領域６、ｎ型ソース領域７およびｐ型ソース領域８のうち、最も外側の領域がｎ型ドレイン領域６になっていることである。図１４には、ｎ型ソース領域７を横切る断面の構成が示されており、図１５には、ｐ型ソース領域８を横切る断面の構成が示されている。実施の形態６のその他の構成は、実施の形態５と同じである。なお、実施の形態２〜４についても、実施の形態６と同様にトレンチ５を３本以上有する構成としてもよい。
【００５３】
以上において本発明は、上述した実施の形態に限らず、種々変更可能である。例えば、ｐ型半導体基板１に代えてｎ型の半導体基板を用いてもよい。また、トレンチ５の底部にｎ型拡張ドレイン領域３がない構成としてもよい。また、各実施の形態では第１導電型をｎ型とし、第２導電型をｐ型としたが、本発明は第１導電型をｐ型とし、第２導電型をｎ型としてもよい。さらに、実施の形態中に記載した寸法や濃度などは一例であり、本発明はそれらの値に限定されるものではない。
【産業上の利用可能性】
【００５４】
以上のように、本発明にかかる半導体装置およびその製造方法は、高耐圧で大電流を制御する集積回路に適する低オン抵抗のパワーＭＯＳＦＥＴに有用であり、特に、スイッチング電源用ＩＣ、自動車パワー系駆動用ＩＣ、フラットパネルディスプレー駆動用ＩＣなどに集積されるパワーＭＯＳＦＥＴに適している。
【図面の簡単な説明】
【００５５】
【図１】本発明の実施の形態１にかかるＴＬＰＭの構成を示す断面図である。
【図２】図１に示すＴＬＰＭの製造途中の構成を示す断面図である。
【図３】図１に示すＴＬＰＭの製造途中の構成を示す断面図である。
【図４】図１に示すＴＬＰＭの製造途中の構成を示す断面図である。
【図５】図１に示すＴＬＰＭの製造途中の構成を示す断面図である。
【図６】本発明の実施の形態２にかかるＴＬＰＭの構成を示す断面図である。
【図７】図６に示すＴＬＰＭの製造途中の構成を示す断面図である。
【図８】図６に示すＴＬＰＭの製造途中の構成を示す断面図である。
【図９】本発明の実施の形態３にかかるＴＬＰＭの構成を示す断面図である。
【図１０】図９に示すＴＬＰＭの製造途中の構成を示す断面図である。
【図１１】本発明の実施の形態４にかかるＴＬＰＭの構成を示す断面図である。
【図１２】本発明の実施の形態５にかかるＴＬＰＭの構成を示す断面図である。
【図１３】本発明の実施の形態５にかかるＴＬＰＭの構成を示す断面図である。
【図１４】本発明の実施の形態６にかかるＴＬＰＭの構成を示す断面図である。
【図１５】本発明の実施の形態６にかかるＴＬＰＭの構成を示す断面図である。
【図１６】従来のＴＬＰＭの構成を示す断面図である。
【図１７】図１６に示すＴＬＰＭの製造途中の構成を示す断面図である。
【図１８】図１６に示すＴＬＰＭの製造途中の構成を示す断面図である。
【図１９】図１６に示すＴＬＰＭの製造途中の構成を示す断面図である。
【図２０】図１６に示すＴＬＰＭの製造途中の構成を示す断面図である。
【図２１】図１６に示すＴＬＰＭの製造途中の構成を示す断面図である。
【図２２】図１６に示すＴＬＰＭの製造途中の構成を示す断面図である。
【図２３】図１６に示すＴＬＰＭの製造途中の構成を示す断面図である。
【図２４】従来のＴＬＰＭを好ましくない工程順で製造した場合の製造途中の構成を示す断面図である。
【図２５】従来のＴＬＰＭを好ましくない工程順で製造した場合の構成を示す断面図である。
【図２６】従来のＴＬＰＭの信頼性試験前の段階における電界分布を示す模式図である。
【図２７】従来のＴＬＰＭの信頼性試験後の段階における電界分布を示す模式図である。
【図２８】本発明の実施の形態４にかかる環状トレンチを有するＴＬＰＭの構成を示す平面図および断面図であり、（ａ）は平面図、（ｂ）は（ａ）のＡ−Ａ’断面図である。
【図２９】本発明の実施の形態４にかかる環状トレンチを有するＴＬＰＭの構成を示す平面図および断面図であり、（ａ）は平面図、（ｂ）は（ａ）のＢ−Ｂ’断面図、（ｃ）は（ａ）のＣ−Ｃ’断面図、（ｄ）はドレイン領域を中心とする拡大平面図である。
【符号の説明】
【００５６】
１  ｐ型半導体基板
２  第１導電型半導体領域（ｎ型ウェル領域）
３  ｎ型拡張ドレイン領域（ｎドリフト領域）
４  第２導電型チャネル領域（ｐ型オフセット領域）
５  トレンチ
６  第１導電型ドレイン領域（ｎ型ドレイン領域）
７  第１導電型ソース領域（ｎ型ソース領域）
９  ドレイン電極
１０  ソース電極
１１  ゲート電極（ゲートポリシリコン電極）
１２  フィールドプレート
１３  ゲート絶縁膜（ゲート酸化膜）
１４  フィールドプレート絶縁膜（フィールドプレート酸化膜）
１７  第１導電型高濃度ドレイン領域（ｎ型オフセット領域）。
【図１】
2007235084.tif 000007
【図２】
2007235084.tif 000008
【図３】
2007235084.tif 000009
【図４】
2007235084.tif 000010
【図５】
2007235084.tif 000011
【図６】
2007235084.tif 000012
【図７】
2007235084.tif 000013
【図８】
2007235084.tif 000014
【図９】
2007235084.tif 000015
【図１０】
2007235084.tif 000016
【図１１】
2007235084.tif 000017
【図１２】
2007235084.tif 000018
【図１３】
2007235084.tif 000019
【図１４】
2007235084.tif 000020
【図１５】
2007235084.tif 000021
【図１６】
2007235084.tif 000022
【図１７】
2007235084.tif 000023
【図１８】
2007235084.tif 000024
【図１９】
2007235084.tif 000025
【図２０】
2007235084.tif 000026
【図２１】
2007235084.tif 000027
【図２２】
2007235084.tif 000028
【図２３】
2007235084.tif 000029
【図２４】
2007235084.tif 000030
【図２５】
2007235084.tif 000031
【図２６】
2007235084.tif 000032
【図２７】
2007235084.tif 000033
【図２８】
2007235084.tif 000034
【図２９】
2007235084.tif 000035